(57)【特許請求の範囲】
【請求項１】
地盤の連続壁を形成すべき部分の幅方向両端部に形成されたガイドウオールと、前記ガイドウオールの一方に設けられた主鉄筋および結合用凹部と、前記連続壁を形成する空間に配設された鉄筋篭と、該鉄筋篭の上部と前記主鉄筋を連結する結合筋と、前記空間内に打設されたコンクリートからなることを特徴とする地中連続壁とガイドウオールの結合構造。
【請求項２】
前記ガイドウオール内にずれ止め筋を配設し、該ずれ止め筋の端部をガイドウオールの内壁面から突出しない範囲で前記結合用凹部内に配置させたことを特徴とする請求項１記載の地中連続壁とガイドウオールの結合構造。
【請求項３】
一方のガイドウオール側に主鉄筋および結合用凹部を有するように、地盤の連続壁を形成すべき部分の幅方向両端部にガイドウオールを形成する工程と、前記ガイドウオールの間の地盤を掘削する工程と、掘削された空間内に鉄筋篭を配設する工程と、前記鉄筋篭の上部と前記主鉄筋を結合筋により連結する工程と、前記空間内に泥水中コンクリートを設計泥水中コンクリート天端レベルに加えて余盛り分だけ打設し、その後、余盛り分だけ吸い上げ設計泥水中コンクリート天端レベルとする工程と、泥水中コンクリートの養生後、気中コンクリートを地上レベルまで打設する工程とを備えたことを特徴とする地中連続壁とガイドウオールの結合方法。
【発明の詳細な説明】
【０００１】
【発明の属する技術分野】
本発明は、液化ガス貯蔵用地下タンク等の地下構造物を構築するための地中連続壁に関する。
【０００２】
【従来の技術】
従来の液化ガス貯蔵用地下タンクの施工方法を図３により説明する。先ず、図（Ａ）に示すように、地盤１の連続壁２を形成すべき部分の幅方向両端部２ａ、２ｂに、鉄筋コンクリートからなるガイドウオール３ａ、３ｂを円環状に形成する。次に、ガイドウオール３上に掘削機（図示せず）を吊り下げた揚重機を設置し、掘削機により両端部２ａ、２ｂ間を掘削し、土砂を排除した空間に鉄筋篭４を挿入、設置し、ガイドウオール３ａ、３ｂの下端付近までコンクリート５を打設して筒状の連続壁２を形成する。なお、外側のガイドウオール３ａ内部には、曲げ引張り主鉄筋６ａとずれ止め筋６ｂが設けられている。
【０００３】
次に、図（Ｂ）に示すように、内側のガイドウオール３ｂを撤去し筒状の連続壁２内部を掘削していく。また、鉄筋篭４の上部に結合筋７ａ、７ｂを配筋し、結合筋７ａ、７ｂをガイドウオール３ａ内の主鉄筋６ａとずれ止め筋６ｂと結合した後、図（Ｃ）に示すように、コンクリート９を打設し、これにより連続壁２とガイドウオール３ａを一体化する。
【０００４】
次に、図（Ｄ）に示すように、連続壁２内部に地下タンク１０を構築し、連続壁２とガイドウオール３ａ上部に盛土１ｂを施工する。この種の地下構造物においては、地下水によって地下タンク１０に図示矢印に示す浮力が作用するため、地下タンク１０の浮き上がり抵抗重量を確保するために、連続壁２とガイドウオール３ａを一体化し、ガイドウオール３ａとその上部の盛土１ｃの重量を抵抗力として考慮している。
【０００５】
【発明が解決しようとする課題】
しかしながら、上記従来の施工においては、連続壁２とガイドウオール３ａの結合部の構築が、その下部の連続壁２の施工後に別工程で行われるため、工期および工費が増大するという問題を有している。
【０００６】
本発明は、上記従来の問題を解決するものであって、工期および工費を低減させることができる地中連続壁とガイドウオールの結合構造および結合方法ことができるを提供することを目的とする。
【０００７】
【課題を解決するための手段】
上記目的を達成するために、請求項１記載の地中連続壁とガイドウオールの結合構造は、地盤１の連続壁２を形成すべき部分の幅方向両端部２ａ、２ｂに形成されたガイドウオール３ａ、３ｂと、前記ガイドウオールの一方３ａに設けられた主鉄筋６ａおよび結合用凹部１２と、前記連続壁を形成する空間２ｃに配設された鉄筋篭４と、該鉄筋篭の上部と前記主鉄筋を連結する結合筋７ａと、前記空間内に打設されたコンクリート１６、１７からなることを特徴とし、
請求項２記載の発明は、請求項１において、前記ガイドウオール内にずれ止め筋６ｂを配設し、該ずれ止め筋の端部をガイドウオール３ａの内壁面から突出しない範囲で前記結合用凹部１２内に配置させたことを特徴とし、
請求項３記載の地中連続壁とガイドウオールの結合方法は、一方のガイドウオール３ａ側に主鉄筋６ａおよび結合用凹部１２を有するように、地盤１の連続壁２を形成すべき部分の幅方向両端部２ａ、２ｂにガイドウオール３ａ、３ｂを形成する工程と、前記ガイドウオール３ａ、３ｂの間の地盤を掘削する工程と、掘削された空間２ｃ内に鉄筋篭４を配設する工程と、前記鉄筋篭の上部と前記主鉄筋を結合筋７ａにより連結する工程と、前記空間２ｃ内に泥水中コンクリート１６を設計泥水中コンクリート天端レベルＷＬに加えて余盛り分Ｈだけ打設し、その後、余盛り分だけ吸い上げ設計泥水中コンクリート天端レベルとする工程と、泥水中コンクリートの養生後、気中コンクリート１７を地上レベルＧＬまで打設する工程とを備えたことを特徴とする。なお、上記構成に付加した番号は、本発明の理解を容易にするために図面と対比させるもので、これにより本発明が何ら限定されるものではない。
【０００８】
【発明の実施の形態】
以下、本発明の実施の形態を図面に基づいて説明する。図１は、本発明の１実施形態を示し、図（Ａ）は、地中連続壁とガイドウオールとの鉄筋の結合構造を示す断面図、図（Ｂ）および図（Ｃ）はコンクリートによる結合方法を示す断面図である。
【０００９】
図（Ａ）において、地盤１の連続壁を形成すべき部分の幅方向両端部２ａ、２ｂに、鉄筋コンクリートからなるガイドウオール３ａ、３ｂを円環状に形成する。次に、ガイドウオール３上に掘削機（図示せず）を吊り下げた揚重機を設置し、掘削機により両端部２ａ、２ｂ間を筒状に掘削し、土砂を排除した空間２ｃに鉄筋篭４を挿入、設置する。
【００１０】
外側のガイドウオール３ａの内周には、上部に連結用凹部１１が形成され、連結用凹部１１の下方に結合用凹部１２が形成されている。また、外側のガイドウオール３ａの内部上方には、曲げ引張り主鉄筋６ａが設けられ、主鉄筋６ａの端部は前記連結用凹部１１内に突出している。そして、上記鉄筋篭４を建て込んだ後、鉄筋篭４の最上部にＬ字状の結合筋７ａを固定し、結合筋７ａをガイドウオール３ａ内の主鉄筋６ａとナット１３により結合する。なお、１５は泥水位であり、本発明においては、泥水位１５以下での従来のずれ止め筋（図２の６ｂ）による結合を無くし、その代わりに結合用凹部１２を設けている。
【００１１】
次に、図（Ｂ）に示すように、空間２ｃ内に泥水中コンクリート１６を設計泥水中コンクリート天端レベルＷＬ＋余盛りＨ（一般には５０ｃｍ）分だけ打設し、その後、余盛り分だけスライム、生コンをバキュームで吸い上げ設計泥水中コンクリート天端レベルとする。なお、泥水中コンクリート１６を地上レベルＧＬまで打設しても良い。
【００１２】
その後すみやかに、図（Ｃ）に示すように、気中コンクリート１７を地上レベルＧＬまで打設する。その結果、気中コンクリート１７とガイドウオール３ａは、主鉄筋６ａと結合筋７ａの連結および連結用凹部１１、結合用凹部１２によるせん断キーの作用により強固に一体化される。
【００１３】
このように気中コンクリート１７を施工する理由として、泥水中コンクリートに比べて気中コンクリートの配合はセメント量が少なく安価であること、一般に連続壁のコンクリート強度はガイドウオールに比べて大きいが、気中コンクリートはガイドウオールの強度と同等にすることができること、スライムがないためガイドウオール３ａの結合用凹部１２への充填、付着性能が高いこと、バイブレータをかけやすいこと等が挙げられる。
【００１４】
図２は、本発明の地中連続壁とガイドウオールの結合構造の他の実施形態を示す断面図である。なお、上記実施形態と同一の構成については同一番号を付して説明を省略する。本実施形態においては、ガイドウオール３ａ内に、ずれ止め筋６ｂを配設し、ずれ止め筋６ｂの端部をガイドウオール３ａの内壁面から突出しない範囲で結合用凹部１２内に配置させるようにしている。
【００１５】
以上、本発明の実施の形態について説明したが、本発明はこれに限定されるものではなく種々の変更が可能である。例えば、上記実施形態においては結合用凹部１２の形状を断面台形状としているが、これに限定されるものではなく、また、凹凸が複数あるようにしても良い。
【００１６】
【発明の効果】
以上の説明から明らかなように、本発明によれば、連続壁と結合部を構築する配筋工程およびコンクリート打設工程を一体化することができるため、工期および工費を低減させることができる。
【図面の簡単な説明】
【図１】本発明の１実施形態を示し、図（Ａ）は、地中連続壁とガイドウオールとの鉄筋の結合構造を示す断面図、図（Ｂ）および図（Ｃ）はコンクリートによる結合方法を示す断面図である。
【図２】本発明の地中連続壁とガイドウオールの結合構造の他の実施形態を示す断面図である。
【図３】従来の液化ガス貯蔵用地下タンクの施工方法を説明するための断面図である。
【符号の説明】
１…地盤
２…連続壁
２ａ、２ｂ…幅方向両端部
２ｃ…空間
３ａ、３ｂ…ガイドウオール
４…鉄筋篭
６ａ…主鉄筋
６ｂ…ずれ止め筋
７ａ…結合筋
１２…結合用凹部
１６…泥水中コンクリート
１７…気中コンクリート
【図１】
0003671332.tif 000002
【図２】
0003671332.tif 000003
【図３】
0003671332.tif 000004